(57)【要約】【課題】暗い環境下における撮影に際して、周囲の人に対して不快感を与えることを防止する。【解決手段】通常の撮影動作を実行する通常撮影モードと当該通常撮影モードと比較して撮影動作の音を低減させる静音撮影モードとの何れかを選択するモード選択部（１０２）と、撮影した画像を表示する表示部（１５０）とを備えるカメラにおいて、前記静音撮影モードが選択された場合、前記表示部に対して撮影した画像の表示を不許可とする表示制御部（１０２）を備えるカメラ。【選択図】図２
2011114725.tif 000002
【特許請求の範囲】
【請求項１】
通常の撮影動作を実行する通常撮影モードと当該通常撮影モードよりも動作音を低減させる静音撮影モードとの何れかを選択するモード選択部と、撮影した画像を表示する表示部とを備えるカメラにおいて、
前記静音撮影モードが選択された場合、前記表示部に対して撮影した画像の表示を不許可とする表示制御部を備えるカメラ。
【請求項２】
周囲の光量を検出する光量検出部をさらに備え、
前記表示制御部は、前記モード選択部により前記静音撮影モードが選択され、且つ、前記光量検出部により検出された周囲の光量が閾値より暗い場合、前記表示部に対して撮影した画像の表示を不許可とする請求項１に記載のカメラ。
【請求項３】
前記光量検出部は、撮影光学系を通過した撮影光束の光量を計測する測光センサである請求項２に記載のカメラ。
【請求項４】
前記光量検出部は、周囲の環境光の光量を計測する環境光センサである請求項２に記載のカメラ。
【請求項５】
周囲の音量を計測する音量検出部をさらに備え、
前記表示制御部は、前記モード選択部により前記静音撮影モードが選択され、且つ、前記音量検出部により検出された周囲の音量が閾値より小さい場合、前記表示部に対して撮影した画像の表示を不許可とする請求項１に記載のカメラ。
【請求項６】
通常の撮影動作を実行する通常撮影モードと当該通常撮影モードよりも動作音を低減させる静音撮影モードとの何れかを選択するモード選択部と、撮影した画像を表示する表示部を備えるカメラにおいて、
前記静音撮影モードが選択された場合、前記表示部に対して撮影した画像を前記通常撮影モードが選択された場合よりも暗く表示させる表示制御部と、
を備えるカメラ。
【請求項７】
周囲の光量を検出する光量検出部をさらに備え、
前記表示制御部は、前記モード選択部により前記静音撮影モードが選択され、且つ、前記光量検出部により検出された周囲の光量が閾値より暗い場合、前記表示部に対して撮影した画像を前記通常撮影モードが選択された場合よりも暗く表示させる請求項６に記載のカメラ。
【請求項８】
前記光量検出部は、撮影光学系を通過した撮影光束の光量を計測する測光センサである請求項７に記載のカメラ。
【請求項９】
前記光量検出部は、周囲の環境光の光量を計測する環境光センサである請求項７に記載のカメラ。
【請求項１０】
周囲の音量を計測する音量検出部をさらに備え、
前記表示制御部は、前記モード選択部により前記静音撮影モードが選択され、且つ、前記音量検出部により検出された周囲の音量が閾値より小さい場合、前記表示部に対して撮影した画像を前記通常撮影モードが選択された場合よりも暗く表示させる請求項６に記載のカメラ。
【発明の詳細な説明】
【技術分野】
【０００１】
本発明は、カメラに関する。
【背景技術】
【０００２】
デジタルカメラでは、撮影した直後に撮影した画像をカメラ背面のモニタに表示させるモードに設定することができる。また、撮影動作で発生する動作音を通常の撮影状態と比較して低減させる静音撮影モードに設定することができる（例えば、特許文献１参照）。
【先行技術文献】
【特許文献】
【０００３】
【特許文献１】特開２００３−２３３１０６号公報
【発明の概要】
【発明が解決しようとする課題】
【０００４】
静音撮影モードを使用する環境として、演奏会場の観客席など静粛であると共に暗い環境が考えられる。このような環境において、撮影した直後に撮影した静止画をモニタに表示させるモードに設定されている場合、モニタが点灯することにより、周囲の人に対して不快感を与えることとなる。
【課題を解決するための手段】
【０００５】
上記課題を解決するために、本発明の第１の態様においては、通常の撮影動作を実行する通常撮影モードと当該通常撮影モードよりも動作音を低減させる静音撮影モードとの何れかを選択するモード選択部（１０２）と、撮影した画像を表示する表示部（１５０）とを備えるカメラにおいて、前記静音撮影モードが選択された場合、前記表示部に対して撮影した画像の表示を不許可とする表示制御部（１０２）を備えるカメラを提供する。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】本実施形態に係る一眼レフタイプのデジタルカメラ１００の概略構成を示すブロック図である。
【図２】デジタルカメラ１００の制御方法について説明するためのフローチャートである。
【図３】デジタルカメラ１００の制御方法の他の実施例について説明するためのフローチャートである。
【図４】デジタルカメラ１００の制御方法の他の実施例について説明するためのフローチャートである。
【図５】デジタルカメラ１００の制御方法の他の実施例について説明するためのフローチャートである。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、本実施形態に係る一眼レフタイプのデジタルカメラ１００の概略構成を示すブロック図である。この図に示すように、デジタルカメラ１００は、カメラ本体１１０と、レンズユニット２００とを備えている。
【００１０】
レンズユニット２００は、レンズ２０２と、絞り２０４とを備えている。また、カメラ本体１１０は、マイクロコンピュータユニット（ＭＰＵ１０２という場合がある）と、ミラーボックス１１２と、フォーカルプレーンシャッタ１１４と、ローパスフィルタ１１６と、撮像素子１１８と、液晶モニタ１５０とを備えている。ＭＰＵ１０２は、操作ボタンの操作による撮影モード等の選択を実行するモード選択回路、撮影した静止画の液晶モニタ１５０への表示に関する制御等を実行する表示制御回路等の種々の回路を含んでいる。なお、本図では、レンズ２０２を１枚だけ示しているが、フォーカスレンズ等の複数のレンズを備えている。
【００１１】
カメラ本体１１０には、電源部１６２が配されており、この電源部１６２からカメラ本体１１０及びレンズユニット２００の各要素に対して電源が供給される。また、カメラ本体１１０には、電源部１６２のバッテリ残量を検出するバッテリ残量検出回路１６４が設けられている。バッテリ残量検出回路１６４は、検出結果をＭＰＵ１０２へ出力する。
【００１２】
また、レンズユニット２００は、レンズ２０２に含まれるフォーカスレンズの位置を光軸方向に変化させるＡＦ駆動部２０６と、絞り２０４の開口面積を変化させる絞り駆動部２０８と、レンズユニット２００の全体の制御を司るＭＰＵ２１０とを備えている。ＡＦ駆動部２０６は、ステッピングモータ等のアクチュエータ、アクチュエータによって駆動されるカム環、及びアクチュエータを駆動させる駆動回路を備えている。また、絞り駆動部２０８は、ステッピングモータ等のアクチュエータ、及び当該アクチュエータを駆動させる駆動回路を備えている。ＡＦ駆動部２０６の駆動回路は、ＭＰＵ２１０から制御されて、フォーカスレンズの光軸方向の位置を、撮影光束の焦点が撮像素子１１８に合う位置に変化させる。また、絞り駆動部２０８の駆動回路は、ＭＰＵ２１０から制御されて、絞り２０４の開口面積を変化させて絞り値を調整する。
【００１３】
ミラーボックス１１２には、メインミラー１２０と、サブミラー１２２とが設けられている。また、ミラーボックス１１２の上方には、ペンタプリズム１２４が配され、ミラーボックス１１２の下方には、測距ユニット１２６が配されている。メインミラー１２０は、撮影光軸に対して４５°の傾斜した角度に保持されるミラーダウン状態と、撮影光束の経路から上方に退避したミラーアップ状態とをとる。メインミラー１２０は、ハーフミラーであって、ミラーダウン状態において、撮影光束の一部をペンタプリズム１２４に向けて反射すると共に、撮影光束の一部を透過する。また、メインミラー１２０は、ミラーアップ状態において、撮影光束を通過させる。
【００１４】
サブミラー１２２は、メインミラー１２０がミラーダウン状態をとった場合、メインミラー１２０の背面側に位置して、メインミラー１２０を透過した撮影光束を測距ユニット１２６に向けて反射する。また、サブミラー１２２は、メインミラー１２０がミラーアップ状態をとった場合、撮影光束の経路から上方へ退避して、撮影光束を通過させる。
【００１５】
メインミラー１２０及びサブミラー１２２は、ミラー駆動部１２８によりミラーアップ位置とミラーダウン位置との間で上下動される。ミラー駆動部１２８は、速度可変機構付のＤＣモータとギア列とＤＣモータを駆動させる駆動回路とを備える。ミラー駆動部１２８の駆動回路は、ＭＰＵ１０２の制御により、メインミラー１２０及びサブミラー１２２をミラーアップ又はミラーダウンさせる。
【００１６】
ペンタプリズム１２４は、メインミラー１２０により反射された撮影光束の一部をファインダ光学系１３０へ、当該撮影光束の一部を測光センサ１３２へ導く。撮影者は、ファインダ接眼窓１３４からファインダ光学系１３０を通して被写体像を観察する。
【００１７】
測光センサ１３２の出力は、測光回路１３６へ入力される。測光回路１３６は、得られた測光センサ１３２の出力を、観察している画面上の各エリアの輝度情報に変換してＭＰＵ１０２へ出力する。ＭＰＵ１０２は、得られた輝度情報から露出値を算出する。
【００１８】
測距ユニット１２６は、位相差検出方式の測距を実行するセンサユニットであり、結像面近傍に配置されたフィールドレンズ、反射ミラー、２次結像レンズ、絞り、複数のＣＣＤから成るラインセンサ、及び測距回路などを備えている。測距ユニット１２６は、測距データをＭＰＵ１０２へ出力する。ＭＰＵ１０２は、得られた測距データを演算処理して、デフォーカス量及びデフォーカス方向を求め、レンズユニット２００のＭＰＵ２１０へ出力する。当該ＭＰＵ２１０は、入力されたデフォーカス量及びデフォーカス方向に基づき、ＡＦ駆動部２０６の駆動回路を制御して、フォーカスレンズを合焦位置へ移動させる。
【００１９】
フォーカルプレーンシャッタ１１４は、レリーズスイッチがオフの間、又、スルー画表示がオフの場合は、先幕と後幕とが撮影光束を遮蔽して、レリーズスイッチがオンになった場合に、先幕と後幕とがスリットを形成して走行するように構成されている。フォーカルプレーンシャッタ１１４は、シャッタ駆動部１３８により駆動される。
【００２０】
シャッタ駆動部１３８は、ＤＣモータとギア列とＤＣモータを駆動させる駆動回路とを備える。シャッタ駆動部１３８の駆動回路は、ＭＰＵ１０２から制御されて、フォーカルプレーンシャッタ１１４の先幕と後幕とを下方へ走行させる。ここで、フォーカルプレーンシャッタ１１４は、バネの付勢力で先幕及び後幕を下方へ走行させる。一方で、フォーカルプレーンシャッタ１１４は、ＤＣモータの駆動力を受けてシャッタチャージ動作を実行する。シャッタチャージ動作では、先幕及び後幕が、バネの付勢力に抗して上方へ移動され、シャッタ開口を遮蔽する。
【００２１】
ローパスフィルタ１１６は、複屈折板と位相差板と赤外カットフィルタとが積層された構成となっている。このローパスフィルタ１１６は、フォーカルプレーンシャッタ１１４と撮像素子１１８との間に配されており、低周波成分の光を撮像素子１１８へ透過させ、赤外光を遮断する。撮像素子１１８は、ＣＣＤ、ＣＭＯＳ及びＣＩＤ等の撮像デバイスであり、受光した光量をアナログ信号に変換して画像データ形成部１４０へ出力する。
【００２２】
画像データ形成部１４０は、相関二重サンプリング（クランプ／ＣＤＳ）回路と、自動利得調整器（ＡＧＣ）と、Ａ／Ｄ変換器とを備えている。相関二重サンプリング回路は、Ａ／Ｄ変換器においてＡ／Ｄ変換する前に一次的なアナログ処理を実施すると共に、クランプレベルの変更を実施する。また、自動利得調整器は、Ａ／Ｄ変換器においてＡ／Ｄ変換する前に二次的なアナログ処理を実施すると共に、ＡＧＣ基本レベルの変更を実施する。さらに、Ａ／Ｄ変換器は、撮像素子１１８から出力されたアナログ信号をデジタル信号に変換して、画像処理回路１４２へ出力する。
【００２３】
画像処理回路１４２は、デジタル化された画像データのデジタルゲイン調整処理、色補正、ガンマ補正等といった各種の画像処理を実行する。画像処理回路１４２は、各種処理を施した画像データを、メモリ１４４、バッファメモリ１４６、モニタ駆動回路１４８へ出力する。メモリ１４４は、カメラ本体に着脱されるフラッシュメモリ等の外部メモリであり、画像処理回路１４２から出力された画像データを保存する。また、バッファメモリ１４６は、カメラ本体に内蔵された内部メモリであり、画像処理回路１４２から出力された画像データを保存する。なお、メモリ１４４とバッファメモリ１４６との何れに画像データが保存されるかは、メモリコントローラ１４９の制御による。
【００２４】
画像処理回路１４２は、ＭＰＵ１０２からの指示に従って、モニタ駆動回路１４８にモニタ表示用の画像データを出力する。モニタ駆動回路１４８は、ＭＰＵ１０２からの指示に従って、カメラ本体の背面に配された液晶モニタ１５０にモニタ表示用の画像データを表示させる。
【００２５】
カメラ本体１１０本体の外部には、レリーズスイッチ１５４、メニューボタン１５６、操作ダイヤル１５８等の操作部材が配されている。また、カメラ本体１１０は、レリーズスイッチ１５４等の操作部材の操作を検知してＭＰＵ１０２へ出力するスイッチ回路１６０を備えている。スイッチ回路１６０は、レリーズスイッチ１５４が操作されると撮影開始の指示をＭＰＵ１０２へ出力する。また、スイッチ回路１６０は、メニューボタン１５６が操作されると、撮影設定メニュー又は再生設定メニュー等のメニュー画面の表示の指示をＭＰＵ１０２へ出力する。さらに、スイッチ回路１６０は、操作ダイヤル１５８が操作されると、メニュー画面上のカーソルを移動させる指示をＭＰＵ１０２へ出力する。
【００２６】
ここで、再生設定メニューの中には、撮影直後に撮影した静止画を液晶モニタ１５０に表示させる時間を設定するメニューが含まれている。当該メニューでは、撮影直後における撮影した静止画の液晶モニタ１５０への表示をオフにするモードも選択できる。なお、以下の説明では、当該表示をオンにする設定のことを撮影直後の画像確認設定という。
【００２７】
また、撮影設定メニューの中には、撮影動作に伴う作動音を抑制する静音撮影モードの設定／非設定を選択するメニューが含まれている。静音撮影モードに設定された場合、ＭＰＵ１０２は、シャッタ駆動部１３８の速度可変機構付のＤＣモータの回転速度を、ＶｓＬＯＷに設定する。一方、静音撮影モードに非設定の場合、ＭＰＵ１０２は、シャッタ駆動部１３８のＤＣモータの回転速度を、ＶｓＬＯＷより高速のＶｓＮＯＲＭＡＬに設定する。
【００２８】
即ち、静音撮影モードでは、フォーカルプレーンシャッタ１１４のシャッタチャージの動作速度を通常の撮影モードと比較して遅くする。これにより、シャッタ駆動部１３８のギアの動作音、フォーカルプレーンシャッタ１１４の先幕及び後幕の動作音が抑制される。一方、通常の撮影モードでは、フォーカルプレーンシャッタ１１４のシャッタチャージの速度を静音撮影モードと比較して速くする。
【００２９】
また、静音撮影モードに設定された場合、ＭＰＵ１０２は、ミラー駆動部１２８の速度可変機構付ＤＣモータの回転速度を、ＶｍＬＯＷに設定する。一方、静音撮影モードに非設定の場合、ＭＰＵ１０２は、ミラー駆動部１２８のＤＣモータの回転速度を、ＶｍＬＯＷより高速のＶｍＮＯＲＭＡＬに設定する。
【００３０】
即ち、静音撮影モードでは、メインミラー１２０及びサブミラー１２２のミラーアップ及びミラーダウンの動作速度を通常の撮影モードと比較して遅くする。これにより、ミラー駆動部１２８のギアの動作音、メインミラー１２０及びサブミラー１２２の動作音が抑制される。
【００３１】
また、カメラ本体１１０には、環境光センサ１６６が設けられている。環境光センサ１６６は、カメラ本体１１０の上部に配されており、カメラ本体１１０の周囲の環境光を検出して検出信号をＭＰＵ１０２へ出力する。
【００３２】
また、カメラ本体１１０には、マイクロホン１６８が設けられている。マイクロホン１６８は、カメラ本体１１０の外部に配されており、カメラ本体１１０の周囲の音圧あるいは音場音圧を検出して検出信号をＭＰＵ１０２へ出力する。
【００３３】
図２は、デジタルカメラ１００の制御方法について説明するためのフローチャートである。本処理ルーチンは、デジタルカメラ１００が撮影待機状態になると開始され、ステップＳ１００へ移行する。ステップＳ１００では、ＭＰＵ１０２が、レリーズスイッチ１５４が押し下げられたか否かを判定する。判定が肯定された場合にはステップＳ１０２へ移行する一方、判定が否定された場合にはステップＳ１００が繰り返し実行される。
【００３４】
ステップＳ１０２では、ＭＰＵ１０２が、静音撮影モードに設定されているか否かを判定する。判定が肯定された場合には、ステップＳ１０４へ移行する一方、判定が否定された場合には、ステップＳ１０８へ移行する。ステップＳ１０４では、ＭＰＵ１０２が、シャッタ駆動部１３８のＤＣモータの回転速度をＶｓＬＯＷに設定すると共に、ミラー駆動部１２８のＤＣモータの回転速度をＶｍＬＯＷに設定する。そして、ＭＰＵ１０２は、ミラー駆動部１２８のＤＣモータを回転速度ＶｍＬＯＷで駆動させて、メインミラー１２０及びサブミラー１２２をミラーアップさせる。また、ＭＰＵ１０２は、シャッタ駆動部１３８のＤＣモータを回転速度ＶｓＬＯＷで駆動させて、フォーカルプレーンシャッタ１１４にシャッタ動作を実行させる。さらに、ＭＰＵ１０２は、ミラー駆動部１２８のＤＣモータを回転速度ＶｍＬＯＷで駆動させて、メインミラー１２０及びサブミラー１２２をミラーダウンさせる。そして、ステップＳ１０６へ移行する。
【００３５】
ステップＳ１０６では、ＭＰＵ１０２が、撮影直後の画像確認設定をオフにして画像データをメモリ１４４又はバッファメモリ１４６に保存する。ここでは、撮影直後の画像確認設定がオンであるかオフであるかに関わらず、当該設定をオフにして、撮影した静止画の液晶モニタ１５０への表示をさせない。そして、処理ルーチンを終了する。
【００３６】
一方、ステップＳ１０８では、ＭＰＵ１０２が、シャッタ駆動部１３８のＤＣモータの回転速度をＶｓＮＯＲＭＡＬに設定すると共に、ミラー駆動部１２８のＤＣモータの回転速度をＶｍＮＯＲＭＡＬに設定する。そして、ＭＰＵ１０２は、ミラー駆動部１２８のＤＣモータを回転速度ＶｍＮＯＲＭＡＬで駆動させて、メインミラー１２０及びサブミラー１２２をミラーアップさせる。また、ＭＰＵ１０２は、シャッタ駆動部１３８のＤＣモータを回転速度ＶｓＮＯＲＭＡＬで駆動させて、フォーカルプレーンシャッタ１１４にシャッタ動作を実行させる。さらに、ＭＰＵ１０２は、ミラー駆動部１２８のＤＣモータを回転速度ＶｍＮＯＲＭＡＬで駆動させて、メインミラー１２０及びサブミラー１２２をミラーダウンさせる。そして、ステップＳ１１０へ移行する。
【００３７】
ステップＳ１１０では、ＭＰＵ１０２が、撮影直後の画像確認設定がオンであるかオフであるかを判定する。判定が肯定された場合には、ステップＳ１１２へ移行する一方、判定が否定された場合には、ステップＳ１１４へ移行する。
【００３８】
ステップＳ１１２では、ＭＰＵ１０２が、モニタ駆動回路１４８へ駆動信号を出力して、撮影した静止画を液晶モニタ１５０に、設定された時間表示させると共に、画像データをメモリ１４４又はバッファメモリ１４６に保存する。一方、ステップＳ１１４では、ＭＰＵ１０２が、モニタ駆動回路１４８へ駆動信号を出力せず、即ち、撮影した静止画を液晶モニタ１５０に表示させることなく、画像データをメモリ１４４又はバッファメモリ１４６に保存する。そして、処理ルーチンを終了する。
【００３９】
ところで、静音撮影モードに設定して撮影が実施される例として、演奏会場の観客席など静粛であると共に暗い環境での撮影が挙げられる。当該環境において、撮影した直後に撮影画像が液晶モニタ１５０に表示された場合には、周囲が暗いことから、周囲の人は、液晶モニタ１５０が一際明るく点灯したように感じる。従って、周囲、特に背後に位置する観客は不快感を受ける。
【００４０】
ここで、本実施形態に係るデジタルカメラ１００では、静音撮影モードに設定された場合には、撮影直後の画像確認設定がオフの場合は勿論のこと、当該設定がオンになっている場合でも、撮影直後の静止画の液晶モニタ１５０への表示を不許可とする。これにより、静粛であると共に暗い環境で撮影を実施するに際して、液晶モニタ１５０の点灯により周囲の観客に不快感を与えることを防止できる。
【００４１】
図３は、デジタルカメラ１００の制御方法の他の実施例について説明するためのフローチャートである。本処理ルーチンは、デジタルカメラ１００が撮影待機状態になると開始され、ステップＳ２００へ移行する。ステップＳ２００〜ステップＳ２０４では、上記実施例におけるステップＳ１００〜ステップＳ１０４と同様の処理が実行されるので、説明を省略する。
【００４２】
ステップＳ２０６では、ＭＰＵ１０２が、環境光センサ１６６により検出された環境光の光量が予め定められた閾値以下であるか否かを判定する。判定が肯定された場合には、ステップＳ２０８へ移行する一方、判定が否定された場合には、ステップＳ２１０へ移行する。なお、上記閾値は、演奏会場の観客席等の照明が消灯された室内において、環境光を検出した場合に、検出した光量が閾値未満となるように設定されている。
【００４３】
ステップＳ２０８では、上記実施形態におけるステップＳ１０６と同様、ＭＰＵ１０２が、撮影直後の画像確認設定をオフにして画像データをメモリ１４４又はバッファメモリ１４６に保存する。そして、処理ルーチンを終了する。一方、ステップＳ２１０では、ＭＰＵ１０２が、撮影直後の画像確認設定がオンであるかオフであるかを判定する。判定が肯定された場合には、ステップＳ２１２へ移行する一方、判定が否定された場合には、ステップＳ２０８へ移行する。
【００４４】
ステップＳ２１２では、ＭＰＵ１０２が、モニタ駆動回路１４８へ駆動信号を出力して、撮影した静止画を液晶モニタ１５０に、設定された時間表示させると共に、画像データをメモリ１４４又はバッファメモリ１４６に保存する。そして、処理ルーチンを終了する。
【００４５】
一方、ステップＳ２１４では、上記実施例におけるステップＳ１０８と同様、ＭＰＵ１０２は、ミラー駆動部１２８のＤＣモータを設定した回転速度ＶｍＮＯＲＭＡＬで駆動させて、メインミラー１２０及びサブミラー１２２をミラーアップさせる。また、ＭＰＵ１０２は、シャッタ駆動部１３８のＤＣモータを回転速度ＶｓＮＯＲＭＡＬで駆動させて、フォーカルプレーンシャッタ１１４にシャッタ動作を実行させる。さらに、ＭＰＵ１０２は、ミラー駆動部１２８のＤＣモータを回転速度ＶｍＮＯＲＭＡＬで駆動させて、メインミラー１２０及びサブミラー１２２をミラーダウンさせる。
【００４６】
次に、ステップＳ２１６では、上記実施例におけるステップＳ１１０と同様、ＭＰＵ１０２が、撮影直後の画像確認設定がオンであるかオフであるかを判定する。判定が肯定された場合には、ステップＳ２１８へ移行する一方、判定が否定された場合には、ステップＳ２２０へ移行する。
【００４７】
ステップＳ２１８では、上記実施例におけるステップＳ１１２と同様、ＭＰＵ１０２が、モニタ駆動回路１４８へ駆動信号を出力して、撮影した静止画を液晶モニタ１５０に、設定された時間表示させると共に、画像データをメモリ１４４又はバッファメモリ１４６に保存する。一方、ステップＳ２２０では、上記実施例におけるステップＳ１１４と同様、ＭＰＵ１０２が、撮影した静止画を液晶モニタ１５０に表示させることなく、画像データをメモリ１４４又はバッファメモリ１４６に保存する。そして、処理ルーチンを終了する。
【００４８】
ここで、本実施例では、静音撮影モードに設定され、且つ、周囲の明るさを計測した結果、実際に周囲が暗い場合に、撮影直後の画像確認設定がオフになっている場合でも、撮影直後の静止画の液晶モニタ１５０への表示を不許可とする。これにより、静粛であると共に暗い環境での撮影に際して、液晶モニタ１５０の点灯により周囲の観客に不快感を与えることを防止できる。また、照明、日光等が照射された明るい環境下、即ち、撮影した静止画を液晶モニタ１５０に表示しても周囲の人が不快感を受けないような環境下において、静音撮影を実施するに際して、撮影直後の静止画の液晶モニタ１５０への表示が、撮影者の意思に反して禁止されることを回避できる。
【００４９】
なお、本実施例では、周囲の光量を、環境光センサ１６６を用いて計測した。しかし、周囲の光量については、測光センサ１３２を用いて計測してもよい。
【００５０】
図４は、デジタルカメラ１００の制御方法の他の実施例について説明するためのフローチャートである。本処理ルーチンは、デジタルカメラ１００が撮影待機状態になると開始され、ステップＳ３００へ移行する。ステップＳ３００〜ステップＳ３０４では、上記実施例におけるステップＳ１００〜ステップＳ１０４と同様の処理が実行されるので、説明を省略する。
【００５１】
ステップＳ３０６では、ＭＰＵ１０２が、マイクロホン１６８により検出された周囲の音圧が予め定められた閾値以下であるか否かを判定する。判定が肯定された場合には、ステップＳ３０８へ移行する一方、判定が否定された場合には、ステップＳ３１０へ移行する。なお、上記閾値は、演奏会場の観客席等の静粛な空間において、音圧を検出した場合に、検出した音圧が閾値未満となるように設定されている。
【００５２】
ステップＳ３０８では、上記実施形態におけるステップＳ１０６と同様、ＭＰＵ１０２が、撮影直後の画像確認設定をオフにして画像データをメモリ１４４又はバッファメモリ１４６に保存する。そして、処理ルーチンを終了する。一方、ステップＳ３１０では、ＭＰＵ１０２が、撮影直後の画像確認設定がオンであるかオフであるかを判定する。判定が肯定された場合には、ステップＳ３１２へ移行する一方、判定が否定された場合には、ステップＳ３０８へ移行する。
【００５３】
ステップＳ３１２では、ＭＰＵ１０２が、モニタ駆動回路１４８へ駆動信号を出力して、撮影した静止画を液晶モニタ１５０に、設定された時間表示させると共に、画像データをメモリ１４４又はバッファメモリ１４６に保存する。そして、処理ルーチンを終了する。一方、ステップＳ３１４で〜ステップＳ３２０では、上記実施例におけるステップＳ２１４〜ステップＳ２２０と同様の処理が実施されるので、説明を省略する。
【００５４】
ここで、本実施例では、静音撮影モードに設定され、且つ、周囲の音圧を計測した結果、実際に周囲が静粛である場合に、撮影直後の画像確認設定がオンになっている場合でも、撮影直後の静止画の液晶モニタ１５０への表示を不許可とする。これにより、静粛であると共に暗い環境での撮影に際して、液晶モニタ１５０の点灯により周囲の観客に不快感を与えることを防止できる。また、周囲が騒がしく液晶モニタ１５０の点灯に対する周囲の人の意識が薄い場合に、撮影直後の静止画の液晶モニタ１５０への表示が、撮影者の意思に反して禁止されることを回避できる。
【００５５】
図５は、デジタルカメラ１００の制御方法の他の実施例について説明するためのフローチャートである。本処理ルーチンは、デジタルカメラ１００が撮影待機状態になると開始され、ステップＳ４００へ移行する。ステップＳ４００〜ステップＳ４０４では、上記実施例におけるステップＳ１００〜ステップＳ１０４と同様の処理が実行されるので、説明を省略する。
【００５６】
次に、ステップＳ４０６では、ＭＰＵ１０２が、撮影直後の画像確認設定がオンであるかオフであるかを判定する。判定が肯定された場合には、ステップＳ４０８へ移行する一方、判定が否定された場合には、ステップＳ４１０へ移行する。
【００５７】
ステップＳ４０８では、ＭＰＵ１０２が、液晶モニタ１５０のバックライトの光量を低下させた後、撮影した静止画を液晶モニタ１５０に表示させる。そして、処理ルーチンを終了する。一方、ステップＳ４１０では、ＭＰＵ１０２が、撮影した静止画を液晶モニタ１５０に表示させることなく、画像データをメモリ１４４又はバッファメモリ１４６に保存する。そして、処理ルーチンを終了する。一方、ステップＳ４１２〜ステップＳ４１８では、上記実施例におけるステップＳ１０８〜ステップＳ１１４と同様の処理が実行されるので、説明を省略する。
【００５８】
ここで、本実施例では、静音撮影モードに設定された場合には、撮影直後の静止画を液晶モニタ１５０に、当該モードに非設定の場合と比較して暗く表示させる。これにより、静粛であると共に暗い環境での撮影に際して、液晶モニタ１５０の点灯により周囲の観客に不快感を与えることを抑制できる。
【００５９】
なお、本実施例では、静音撮影モードに設定されている場合には、周囲の実際の明るさに関わらず、撮影直後の静止画を液晶モニタ１５０に暗く表示させるようにした。しかし、静音撮影モードに設定され、且つ、周囲の明るさを計測した結果、実際に周囲が暗い場合に、撮影直後の静止画を液晶モニタ１５０に暗く表示させるようにしてもよい。これにより、静粛であると共に暗い環境での撮影に際して、液晶モニタ１５０の点灯により周囲の観客に不快感を与えることを防止できる。また、照明、日光等が照射された明るい環境下、即ち、撮影した静止画を液晶モニタ１５０に表示しても周囲の人が不快感を受けないような環境下において、静音撮影を実施するに際して、撮影直後の静止画の液晶モニタ１５０への表示が、撮影者の意思に反して禁止されることを回避できる。なお、周囲の光量は、環境光センサ１６６を用いて計測してもよく、測光センサ１３２を用いて計測してもよい。
【００６０】
また、本実施例では、静音撮影モードに設定されている場合には、周囲の実際の静粛度に関わらず、撮影直後の静止画を液晶モニタ１５０に暗く表示させるようにした。しかし、静音撮影モードに設定され、且つ、周囲の音圧を計測した結果、実際に周囲が静粛である場合に、撮影直後の静止画を液晶モニタ１５０に暗く表示させる。これにより、静粛であると共に暗い環境での撮影に際して、液晶モニタ１５０の点灯により周囲の観客に不快感を与えることを防止できる。また、周囲が騒がしく液晶モニタ１５０の点灯に対する周囲の人の意識が薄い場合に、撮影直後の静止画の液晶モニタ１５０への表示が、撮影者の意思に反して禁止されることを回避できる。
【００６１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６２】
例えば、上記実施形態では、静音撮影モードにおける動作として、メインミラー１２０及びサブミラー１２２のミラーアップ動作及びミラーダウン動作の速度を低下させると共に、フォーカルプレーンシャッタ１１４のシャッタチャージ動作の速度を低下させる例を挙げた。しかし、その他に、スルー画を液晶モニタ１５０に表示させるモードに設定された状態において、フォーカルプレーンシャッタ１１４が開いている場合に、フォーカルプレーンシャッタ１１４を開いたままの状態で撮影動作を実行する例が挙げられる。または、シャッタにおけるシャッタ動作をモータの駆動により実行する構成を備える場合には、当該シャッタ動作の速度を遅くする例も挙げられる。さらに、レンズユニットのズーム駆動をモータの動力で実行する場合には、ズーム駆動の速度を遅くする例も挙げられる。
【００６３】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６４】
１００  デジタルカメラ、１０２  ＭＰＵ、１１０  カメラ本体、１１２  ミラーボックス、１１４  フォーカルプレーンシャッタ、１１６  ローパスフィルタ、１１８  撮像素子、１２０  メインミラー、１２２  サブミラー、１２４  ペンタプリズム、１２６  測距ユニット、１２８  ミラー駆動部、１３０  ファインダ光学系、１３２  測光センサ、１３４  ファインダ接眼窓、１３６  測光回路、１３８  シャッタ駆動部、１４０  画像データ形成部、１４２  画像処理回路、１４４  メモリ、１４６  バッファメモリ、１４８  モニタ駆動回路、１４９  メモリコントローラ、１５０  液晶モニタ、１５４  レリーズスイッチ、１５６  メニューボタン、１５８  操作ダイヤル、１６０  スイッチ回路、１６２  電源部、１６４  バッテリ残量検出回路、１６６  環境光センサ、１６８  マイクロホン、２００  レンズユニット、２０２  レンズ、２０４  絞り、２０６  ＡＦ駆動部、２０８  絞り駆動部、２１０  ＭＰＵ
【図１】
2011114725.tif 000003
【図２】
2011114725.tif 000004
【図３】
2011114725.tif 000005
【図４】
2011114725.tif 000006
【図５】
2011114725.tif 000007